(57)【特許請求の範囲】
【請求項１】
昇降する荷台（３）の前壁（３００）上に設けられた正逆回転できるカバーシート巻き締め機（１０）と、荷台（３）を覆ったカバーシート（２０）が弛んだとき巻き締め直すことができるようにすると共に、電動装置（１２）が故障したとき、手動でカバーシート（２０）の引出、収納ができるようにした手動ハンドル装置（１５）と、カバーシート（２０）の巻き軸（１１）を正回転又は逆回転するとき、その反対方向の回転を防止できるようにした逆転防止装置（１４）とを備えて、逆転防止装置（１４）が、歯車（１４０）、爪（１４１）、爪（１４２）及びバネ（１４３）を設けて、巻き軸と同軸の歯車（１４０）にバネ（１４３）を介して爪（１４１）を押し当てれば、歯車（１４０）は、正回転するが逆回転が防止され、バネ（１４３）を介して爪（１４２）を押し当てれば、歯車（１４０）は、逆回転するが正回転が防止されるように形成されていることを特徴とした自動車荷台のカバーシート掛け装置。
【発明の詳細な説明】
【技術分野】
【０００１】
本発明は、自動車、特に、通常のトラック又はダンプカーの荷台を覆うカバーシートを引出し又は収納するカバーシート掛け装置に関する。
【背景技術】
【０００２】
従来、自動車荷台のカバーシート掛け装置として下記に示すようなものがあった。
特開２００４−１４９２９９号公報に示すものは、カバーシート巻き機が運転室背面と自動車荷台に設けられているので、荷台が昇降するダンプカーには使用できない。
特開２０００−２６４１２１号公報に示すものは、トラック、ダンプカーともに、積み荷の際、ワイヤロープが荷台上に張られていて邪魔になり、フォークリフト、ショベルカー等による横積み横卸しが困難である。
特開平８−８５３８１号公報に示すものは、トラック、ダンプカーともに、積み荷の際、ワイヤロープが荷台上に張られていて邪魔になり、フォークリフト、ショベルカー等による横積み横卸しが困難である。
特開昭６２−１３１８３５号公報に示すものは、カバーシート巻き取り装置の一部が、荷台下の車体に設けられているので、荷台が昇降するダンプカーには使用できない。
実開昭４８−１６３４号公報に示すものは、トラック、ダンプカーともに、常にワイヤロープが荷台上に張られていて邪魔になり、フォークリフト、ショベルカー等による横積み横卸しが困難である。
【先行技術文献】
【特許文献】
【０００３】
【特許文献１】特開２００４−１４９２９９号公報
【特許文献２】特開２０００−２６４１２１号公報
【特許文献３】特開平８−８５３８１号公報
【特許文献４】特開昭６２−１３１８３５号公報
【特許文献５】実開昭４８−１６３４号公報
【発明の概要】
【発明が解決しようとする課題】
【０００４】
本発明は、カバーシート巻き機が、荷台の昇降に追従して昇降できるようにした自動車荷台のカバーシート掛け装置を提供するものである。
また、本発明は、一旦、荷台を覆ったカバーシートが弛んだとき、手動ハンドル装置を回して巻き締め直すことが迅速容易にできるようにした自動車荷台のカバーシート掛け装置を提供するものである。
また、本発明は、左右垂れシート付きのカバーシートを巻き取ることが出来るようにした自動車荷台のカバーシート掛け装置を提供するものである。
さらに、本発明は、上述した機能を有するカバーシート巻き機が、構造簡単、小型で、安価に製作できる自動車荷台のカバーシート掛け装置を提供するものである。
【課題を解決するための手段】
【０００５】
本発明トラック荷台のカバーシート掛け装置は、上記課題を達成するため、図示するように、請求項１の発明は、自動車１の荷台３を覆うカバーシート２０を引出し又は収納するカバーシート巻き機１０を荷台３に配置したカバーシート掛け装置において、前記カバーシート巻き機１０が正転逆転出来ると共に、逆転防止装置１４と前記逆転防止装置１４を正転方向に若干回転して前記カバーシートの巻き締めができるようにした手動ハンドル装置１５とを備えたものである。
本発明自動車荷台のカバーシート掛け装置は、上記課題を達成するため、請求項１の発明において、図示するように、請求項２の発明は、前記カバーシート巻き機１０が、ダンプカーの荷台３前壁３００上に備えられ、前記荷台３の昇降に追従できるようにしたものである。
本発明自動車荷台のカバーシート掛け装置は、上記課題を達成するため、請求項１の発明において、図示するように、請求項３の発明は、前記カバーシート巻き機１０が、左右の垂れシート２０３Ｂ付きのカバーシート２０Ｂの前記垂れシート２０３Ｂを折り上げ畳んだものを巻き取ることができるようにしたものである。
本発明において、逆転防止装置は、ラチェット機構を応用したもので、図３−１及び図３−２に示すように、巻き軸１１に軸着する歯車１４０と歯車１４０に係合する爪１４１及び１４２とバネ１４３とからなり、爪１４１が歯車１４０に接するときは、歯車１４０はバネ１４３に抗して爪１４１を押し上げて巻き軸１１は正転方向へは回転できるが、逆方向へは爪１４１が歯車１４０の歯に引掛かり回転できない、また、爪１４２が歯車１４０に接するときは、歯車１４０はバネ１４３に抗して爪１４２を押し上げて巻き軸１１は逆転方向へは回転できるが、正転方向へは爪１４２が歯車１４０の歯に引掛かり回転出来ないように形成されており、爪の出し入れにより回転方向が、簡単容易かつ迅速に選択できるものである。
また、本発明において、手動ハンドル装置は、環状の握りハンドルが巻き軸１１に軸着し、内部に逆転防止装置１４が内蔵され、爪１４１と１４２の選択により巻き軸１１の回転方向が選択でき、カバーシート２０が弛んだとき巻き締めができると共に、電動装置１２が故障した際に、手動でカバーシート２０の引出し、収納ができるものである。
【発明の効果】
【０００６】
本発明の自動車荷台のカバーシート掛け装置は、小型軽量のため、荷台前壁の背面に装置できるので、荷台の昇降に追従でき、ダンプカーに利用できる。
また、本発明の自動車荷台のカバーシート掛け装置は、カバーシートを引っ張るワイヤロープが不要なため、荷台を邪魔せず、横積みによる荷物の揚げ卸しができる。
また、本発明の自動車荷台のカバーシート掛け装置は、カバーシートの張りが弛んだとき、手動ハンドル装置により、弛みを迅速容易に締め直すことができ、また、電動機故障の場合、手回しでカバーシートの引出し又は収納ができる。
【図面の簡単な説明】
【０００７】
【図１】本発明実施例の正面を示す説明図である。
【図２】図１のカバーシート巻き機の斜視図である。
【図３−１】図２の逆転防止装置の原理を示す説明図である。
【図３−２】図２の逆転防止装置の別の原理を示す説明図である。
【図４−１】本発明実施例の使用状態を示す説明図である。
【図４−２】図４−１の平面を示す説明図である。
【図４−３】本発明実施例の別の使用状態を示す説明図である。
【図４−４】図４−３の平面を示す説明図である。
【図５−１】本発明の別の実施例の使用状態を示す説明図である。
【図５−２】図５−１の平面を示す説明図である。
【図５−３】図５−１の後面を示す説明図である。
【発明を実施するための形態】
【０００８】
本発明を実施するための最良の形態が、実施例１及び実施例２に示されている。
【実施例１】
【０００９】
本発明実施例１が図１乃至図４−４に示されている。
本発明実施例の自動車荷台のカバーシート掛け装置は、カバーシート２０と、巻き軸１１と、電動装置１２と、逆転防止装置１４と、手動ハンドル装置１５とを備えている。
巻き軸１１は、一方の端を軸受けメタル１３に支持し、他方の端を電動装置１２に支持し、巻き軸１１の軸方向にカバーシート２０の一端２０１が止着されている。
電動装置１２は、巻き軸１１の他方の端に軸着し、リモコンスイッチ１６付きの電動機（図示しない）と減速歯車装置（図示しない）とを設けている。
逆転防止装置１４は、図３−１及び図３−２に示すように、ラチェット機構を応用した歯車１４０、爪１４１、１４２、バネ１４３からなり、爪１４１を押し歯車１４０に当てると、歯車１４０が正転時バネ１４３に抗して爪１４１を押し上げ、歯車１４０は正方向へ回転できるが、逆方向へは爪１４１が引掛かり逆転を防止するように形成されており、爪１４２を押すと、歯車１４０は逆転方向へ爪１４２を押し上げて回転できるが、正転方向へは爪１４２が引掛かり回転できないように形成されている。
手動ハンドル装置１５は、環状の握りハンドルで、巻き軸１１と電動装置１２との間に設けられ、内部に逆転防止装置が内蔵されている。
カバーシート２０は、その前端２０１が巻き軸１１に止着され、後端に設けたカバー止め２０２を荷台３の引掛け３１に係止して、荷台３上を覆うことができるように形成されている。
従って、カバーシート２０を荷台３上の荷物１００を覆うときは、図４−１及び図４−２に示すように、逆転防止装置１４の爪１４２を押し、逆回転できるようにし、電動装置１２のリモコン１６の逆転ボタンを押せば、巻き軸１１上のカバーシート２０を荷台３上へ繰り出していき、カバーシート２０の後端が荷台３の後方に達したら、電動装置１２を停止し、カバー止め２０２を引掛け、ついで、逆転防止装置１４の爪１４１を押し正回転できるようにし、手動ハンドル装置１５を正転方向へ若干回し、カバーシート２０を弛まないように張れば、爪１４１が歯車１４０に噛み、巻き軸１１はその位置を保持し、カバーシート２０の張りを保つことが出来る。  走行中にカバーシート２０が弛んだときは、手動ハンドル１５を正転方向へ若干回し、カバーシート２０の弛みを除くことが出来る。
カバーシート２０を収納するときは、図４−３及び図４−４に示すように、荷台３後方のカバー止め２０２を外し、逆転防止装置１４の爪１４１を押し正回転できるようにし、電動装置１２のリモコン１６の正転ボタンを押せば、巻き軸１１は正転し、カバーシート２０を巻き軸１１上に巻き取って収納できる。
【実施例２】
【００１０】
本発明実施例２が図５−１乃至図５−３に示されている。
本発明実施例の自動車荷台のカバーシート掛け装置は、カバーシート２０Ｂと、巻き軸１１と、電動装置１２と、逆転防止装置１４と、手動ハンドル装置１５とを備えている。
巻き軸１１、電動装置１２、逆転防止装置１４、手動ハンドル装置１５の構成は、本発明実施例１と同じであるので、詳細説明は省略する。
カバーシート２０Ｂは、その前端２０１Ｂが巻き軸１１に止着され、後端に設けたカバー止め２０２Ｂを荷台３Ｂの引掛け３１Ｂに係止し、左右の垂れシート２０３Ｂを左右に垂らし、止めバンド２０４Ｂで止めて、荷台３Ｂの上面と左右側面を覆うことができるように形成されている。
従って、カバーシート２０Ｂを荷台３Ｂ上の荷物１００Ｂを覆うときは、図５−１乃至図５−３に示すように、逆転防止装置１４の爪１４２を押し、逆回転できるようにし、電動装置１２のリモコン１６の逆転ボタンを押せば、巻き軸１１は逆回転し、巻き軸１１上のカバーシート２０Ｂを荷台３Ｂ上へ繰り出していき、カバーシート２０Ｂの後端が荷台３Ｂの後方に達したら、電動装置１２を停止し、カバー止め２０２Ｂを引掛け、ついで、左右の垂れシート２０３Ｂを下方へ下げカバー止め２０４Ｂを引掛け、逆転防止装置１４の爪１４１を押し正回転できるようにし、手動ハンドル装置１５を正転方向へ若干回し、爪１４１に歯車１４０を噛ませ、カバーシート２０Ｂを弛まないように張ることが出来る。
カバーシート２０Ｂを収納するときは、荷台３Ｂの後方のカバー止め２０２Ｂ及び左右のカバー止め２０４Ｂを外し、左右の垂れシート２０３Ｂをカバーシート２０Ｂ上へ折り上げ、逆転防止装置１４の爪１４１を押し正回転できるようにし、電動装置１２のリモコン１６の正転ボタンを押せば、巻き軸１１は正回転し、カバーシート２０Ｂを巻き軸１１上に巻き取って収納できる。
【産業上の利用可能性】
【００１１】
本発明品は、構造簡単で、小型軽量で、安価に量産できる。
【符号の説明】
【００１２】
１                自動車
３                荷台
１０              カバーシート巻き機
１１              巻き軸
１４              逆転防止装置
１５              手動ハンドル装置
２０、２０Ｂ      カバーシート
２０３Ｂ          垂れシート
３００            荷台の前壁
【図１】
0005637524.tif 000002
【図２】
0005637524.tif 000003
【図３−１】
0005637524.tif 000004
【図３−２】
0005637524.tif 000005
【図４−１】
0005637524.tif 000006
【図４−２】
0005637524.tif 000007
【図４−３】
0005637524.tif 000008
【図４−４】
0005637524.tif 000009
【図５−１】
0005637524.tif 000010
【図５−２】
0005637524.tif 000011
【図５−３】
0005637524.tif 000012